(57)【要約】【課題】着脱式のバッテリパックが電源として用いられる電気機器において、操作性と信頼性を両立する。【解決手段】この電気機器は、着脱式のバッテリパックを電源とする送風機である。基体部３０には、バッテリパック４０が設置される略平面状のバッテリパック設置面が設けられ、このバッテリパック設置面は、基体部３０における回動軸Ｒよりも後方側の上部において後方に突出するように設けられたバッテリパック取付部３３の下面として形成される。このため、バッテリパック４０は、バッテリパック取付部３３の下側に装着される。【選択図】図１
2014212062.tif 000002
【特許請求の範囲】
【請求項１】
電力を風、光、熱又は音のいずれかに変換して出力する動作を行う本体部と、該本体部の下方に接続され、設置された際に地面に接触する接地領域を有する基体部と、を備えた電気機器において、
前記基体部の下面側において、前記本体部に電力を供給するバッテリパックが、平面視において前記接地領域の最外周部よりも外側に出ないように装着されることを特徴とする電気機器。
【請求項２】
電力を風、光、熱又は音のいずれかに変換して出力する動作を行う本体部と、該本体部の下方に接続され、設置された際に地面に接触する接地領域を有する基体部と、前記本体部と前記基体部とを離間させた状態で前記本体部と前記基体部とを接続する支脚と、を備えた電気機器において、
前記基体部は、後方に向かって延伸する接地脚を具備し、
前記本体部の動作の制御に用いられる操作部が前記基体部に設けられ、かつ前記本体部に電力を供給するバッテリパックが、前記操作部よりも後方において前記基体部に装着されることを特徴とする電気機器。
【請求項３】
バッテリパックが装着される略平面状のバッテリパック設置面を具備する基体部に対して、前記バッテリパックを電源として前方に対して動作する本体部が、前後方向における取付角度が調整可能な状態で取り付けられ、前記基体部を接地させた状態で設置される電気機器であって、
前記基体部の下側を接地させた状態で前記電気機器が設置された際に前記バッテリパック設置面の下側に装着された前記バッテリパックが接地しないように、前記バッテリパック設置面が、前記基体部において下側を向いて形成されたことを特徴とする電気機器。
【請求項４】
バッテリパックが装着される略平面状のバッテリパック設置面を具備する基体部に対して、前記バッテリパックを電源として前方に対して動作する本体部が、前後方向における取付角度が調整可能な状態で取り付けられ、前記基体部を接地させた状態で設置される電気機器であって、
前記基体部の下側を接地させた状態で前記電気機器が設置された際に、前記バッテリパック設置面に対する前記バッテリパックの装着は、前記バッテリパック設置面に沿って前記バッテリパックを後方の斜め上方から前方の斜め下方に移動させることによって行われることを特徴とする電気機器。
【請求項５】
前記バッテリパック設置面は、前後方向における前記取付角度の調整の際の回動軸よりも後方に設けられたことを特徴とする請求項３又は４に記載の電気機器。
【請求項６】
バッテリパックが装着される略平面状のバッテリパック設置面を具備する基体部に対して、前記バッテリパックを電源として前方に対して動作する本体部が、前後方向における取付角度が調整可能な状態で取り付けられ、前記基体部を接地させた状態で設置される電気機器であって、
前記本体部の動作の制御に用いられる操作部、又は前記電気機器の制御を行う制御回路が形成された基板が、前記基体部に設けられたことを特徴とする電気機器。
【請求項７】
バッテリパックが装着される略平面状のバッテリパック設置面を具備する基体部に対して、前記バッテリパックを電源として前方に対して動作する本体部が、前後方向における取付角度が調整可能な状態で取り付けられ、前記基体部を接地させた状態で設置される電気機器であって、
前記本体部の動作の制御に用いられる操作部が、前記基体部において、前後方向における前記取付角度の調整の際の回動軸よりも前方に設けられたことを特徴とする電気機器。
【請求項８】
前記本体部は、前記基体部と離間した状態で支脚を介して前記基体部に取り付けられ、
前記支脚が前後方向における取付角度が調整可能な状態で前記基体部に取り付けられ、
前記基体部は、後方に向かって延伸する接地脚を具備することを特徴とする請求項３から請求項７までのいずれか１項に記載の電気機器。
【請求項９】
前記基体部が接地した状態で設置された際の、前記バッテリ設置面と地面とのなす角度は、
前記バッテリパック設置面に前記バッテリパックを装着する際に、前記バッテリパックが前記接地脚と干渉せず、かつ前記基体部及び前記バッテリパックが前記支脚、前記本体部のいずれとも干渉しないように設定されたことを特徴とする請求項８に記載の電気機器。
【請求項１０】
前記取付角度の調整によって前記本体部又は前記支脚と前記接地脚との間のなす角度を最小とし、前記本体部を下側、前記接地脚を上側として前記電気機器を設置した場合において、前記バッテリパック設置面は、前記接地脚よりも下側に位置することを特徴とする請求項８又は９に記載の電気機器。
【請求項１１】
前方に向かって送風を行うファンが前記本体部に設けられた送風機であることを特徴とする請求項１から請求項１０までのいずれか１項に記載の電気機器。
【発明の詳細な説明】
【技術分野】
【０００１】
本発明は、バッテリ（バッテリパック）を電源とし、地上に設置されて動作する電気機器の構成に関する。
【背景技術】
【０００２】
商用ＡＣ１００Ｖの電源の供給が困難である屋外等で使用される電気機器の電源としては、バッテリパック（バッテリ：蓄電池）が使用される。例えば、屋外の建築工事現場等で使用される送風機（扇風機）においても、バッテリパックを電源とするものが使用されている。一般に、電動工具の電源として使用されるバッテリパックは、乾電池等と比べて高出力であるため、これを電源として用いた場合には送風機の風力を高める、あるいは連続使用可能時間を長くとることができるため、好ましい。また、作業において使用する電動工具用のバッテリパックと、作業環境において使用される送風機のバッテリパックとを兼用することができれば、非常に効率的である。
【０００３】
一般に、こうした電動工具用のバッテリパックは、電動工具とは別体の充電器で充電された状態で、電動工具に装着されて用いられる。このため、バッテリパックの装着は容易かつ確実に行われるような構成とされる。一般に、バッテリパックの装着は、電動工具に設けられたバッテリパック設置面に沿ってバッテリパックをスライドさせ、固定用の凹部や凸部を係合させてバッテリパックをバッテリパック設置面に固定することによって行われる。この際に、バッテリパック設置面に設けられた端子と、バッテリパック側の端子とが接する設定とされる。バッテリパック設置面あるいはバッテリパックは、一般にこの電動工具を使用する際の障害とならないように、電動工具の端部に設けられる場合が多い。このバッテリパックを送風機に装着して使用するためには、送風機においても電動工具と同様にバッテリパック設置面を設けることが必要となる。
【０００４】
しかしながら、電動工具用のバッテリパックは乾電池等と比べて大型となる。これに対して、送風機においては、回転する羽根（ファン）の面積を特に大きくとる必要があり、これ以外の構成要素の面積は限定される。このため、送風機にこのバッテリパックを装着し、かつ使用しやすい形態とすることは容易ではない。特許文献１には、これらの点を考慮した送風機（扇風機）が記載されている。
【０００５】
特許文献１に記載の送風機においては、ファンを備えたヘッド部が支脚の上側に取り付けられ、バッテリパックは、支脚の最下部に設置される。この送風機においては、設置時には、最下部のバッテリパックがこの送風機全体を支える。この構造により、全体の構成を単純化することもできる。こうした構成は、送風機のみならず、地上に設置されて使用され、バッテリパックを電源として動作する本体部を備えた電気機器全般（例えば、音響機器、ヒーター、投光器等）においても有効である。
【０００６】
また、送風機とは異なるが、上記の送風機と同様に、脱着が容易なバッテリパックを電源とし、屋外で使用されるラジオが、特許文献２に記載されている。このラジオにおいては、バッテリ収納カバーを開いた内部においてバッテリ接続部が設けられ、バッテリパックやバッテリ設置部に水滴や粉塵等が付きにくい構成とされる。
【先行技術文献】
【特許文献】
【０００７】
【特許文献１】特開平３−１７２５９８号公報
【特許文献２】特開２０１０−２０６２４２号公報
【発明の概要】
【発明が解決しようとする課題】
【０００８】
例えば、上記の送風機は、屋外の建築作業現場において地面に置かれて使用される。こうした使用態様において、操作性と信頼性を共に得ることは容易ではない。
【０００９】
特許文献１に記載の送風機においては、バッテリパックが最下部に設置されるために、バッテリパックの脱着の際には、送風機を持ち上げる。あるいは横倒しにする、という作業が必要である。このため、その脱着作業は容易ではなかった。更に、装着された際に地面に接するバッテリパックの下面は、平坦であることが必要であるため、他の電動工具用のバッテリパックを使い回すことが困難である場合が多かった。また、バッテリパック自身が地面と接するために、バッテリパックが損傷しやすかった。
【００１０】
一方、特許文献２に記載のラジオのように、カバーで保護された内部にバッテリパックを設置する形態とすることにより、バッテリパックの保護をすることができる。また、この場合には、装着ができる限りにおいて、任意の形状のバッテリパックを使用することができる。しかしながら、この場合には、バッテリパックを装着すべき部分全体が大型となるために、上記のような、屋外等で使用される送風機の形態としては好ましくない。
【００１１】
また、送風機全体をコンパクトな形状とするためには、前記の通り、大きく重い本体部を、本体部よりも小さく、本体部の下部にある構造体で支持する構造が必要となる。一般的に、こうした形態の送風機は設置された際に転倒しやすい。これは、振動が多い屋外の作業環境等では特に顕著である。この点については、特許文献１に記載の送風機についても同様であり、この送風機は転倒しやすかった。
【００１２】
すなわち、着脱式のバッテリパックが電源として用いられる送風機（電気機器）において、操作性と信頼性を両立することは困難であった。
【００１３】
本発明は、かかる問題点に鑑みてなされたものであり、上記の問題点を解決する発明を提供することを目的とする。
【課題を解決するための手段】
【００１４】
本発明は、上記課題を解決すべく、以下に掲げる構成とした。
本発明の電気機器は、電力を風、光、熱又は音のいずれかに変換して出力する動作を行う本体部と、該本体部の下方に接続され、設置された際に地面に接触する接地領域を有する基体部と、を備えた電気機器において、前記基体部の下面側において、前記本体部に電力を供給するバッテリパックが、平面視において前記接地領域の最外周部よりも外側に出ないように装着されることを特徴とする。
本発明の電気機器は、電力を風、光、熱又は音のいずれかに変換して出力する動作を行う本体部と、該本体部の下方に接続され、設置された際に地面に接触する接地領域を有する基体部と、前記本体部と前記基体部とを離間させた状態で前記本体部と前記基体部とを接続する支脚と、を備えた電気機器において、前記基体部は、後方に向かって延伸する接地脚を具備し、前記本体部の動作の制御に用いられる操作部が前記基体部に設けられ、かつ前記本体部に電力を供給するバッテリパックが、前記操作部よりも後方において前記基体部に装着されることを特徴とする。
本発明の電気機器は、バッテリパックが装着される略平面状のバッテリパック設置面を具備する基体部に対して、前記バッテリパックを電源として前方に対して動作する本体部が、前後方向における取付角度が調整可能な状態で取り付けられ、前記基体部を接地させた状態で設置される電気機器であって、前記基体部の下側を接地させた状態で前記電気機器が設置された際に前記バッテリパック設置面の下側に装着された前記バッテリパックが接地しないように、前記バッテリパック設置面が、前記基体部において下側を向いて形成されたことを特徴とする。
本発明の電気機器は、バッテリパックが装着される略平面状のバッテリパック設置面を具備する基体部に対して、前記バッテリパックを電源として前方に対して動作する本体部が、前後方向における取付角度が調整可能な状態で取り付けられ、前記基体部を接地させた状態で設置される電気機器であって、前記基体部の下側を接地させた状態で前記電気機器が設置された際に、前記バッテリパック設置面に対する前記バッテリパックの装着は、前記バッテリパック設置面に沿って前記バッテリパックを後方の斜め上方から前方の斜め下方に移動させることによって行われることを特徴とする。
本発明の電気機器において、前記バッテリパック設置面は、前後方向における前記取付角度の調整の際の回動軸よりも後方に設けられたことを特徴とする。
本発明の電気機器は、バッテリパックが装着される略平面状のバッテリパック設置面を具備する基体部に対して、前記バッテリパックを電源として前方に対して動作する本体部が、前後方向における取付角度が調整可能な状態で取り付けられ、前記基体部を接地させた状態で設置される電気機器であって、前記本体部の動作の制御に用いられる操作部、又は前記電気機器の制御を行う制御回路が形成された基板が、前記基体部に設けられたことを特徴とする。
本発明の電気機器は、バッテリパックが装着される略平面状のバッテリパック設置面を具備する基体部に対して、前記バッテリパックを電源として前方に対して動作する本体部が、前後方向における取付角度が調整可能な状態で取り付けられ、前記基体部を接地させた状態で設置される電気機器であって、前記本体部の動作の制御に用いられる操作部が、前記基体部において、前後方向における前記取付角度の調整の際の回動軸よりも前方に設けられたことを特徴とする。
本発明の電気機器において、前記本体部は、前記基体部と離間した状態で支脚を介して前記基体部に取り付けられ、前記支脚が前後方向における取付角度が調整可能な状態で前記基体部に取り付けられ、前記基体部は、後方に向かって延伸する接地脚を具備することを特徴とする。
本発明の電気機器において、前記基体部が接地した状態で設置された際の、前記バッテリ設置面と地面とのなす角度は、前記バッテリパック設置面に前記バッテリパックを装着する際に、前記バッテリパックが前記接地脚と干渉せず、かつ前記基体部及び前記バッテリパックが前記支脚、前記本体部のいずれとも干渉しないように設定されたことを特徴とする。
本発明の電気機器は、前記取付角度の調整によって前記本体部又は前記支脚と前記接地脚との間のなす角度を最小とし、前記本体部を下側、前記接地脚を上側として前記電気機器を設置した場合において、前記バッテリパック設置面は、前記接地脚よりも下側に位置することを特徴とする。
本発明の電気機器は、前方に向かって送風を行うファンが前記本体部に設けられた送風機であることを特徴とする。
【発明の効果】
【００１５】
本発明は以上のように構成されているので、着脱式のバッテリパックが電源として用いられる電気機器において、操作性と信頼性を両立することができる。
【図面の簡単な説明】
【００１６】
【図１】本発明の実施の形態となる送風機が使用される際の形態を示す斜視図である。
【図２】本発明の実施の形態となる送風機が使用される際の形態を示す上面図（ａ）、正面図（ｂ）、側面図（ｃ）、背面図（ｄ）である。
【図３】本発明の実施の形態となる送風機において、バッテリパックの着脱の動作を示す図である。
【図４】本発明の実施の形態となる送風機における配線の構成を示す図である。
【図５】本発明の実施の形態となる送風機が折り畳まれた際の形態を示す斜視図である。
【発明を実施するための形態】
【００１７】
本発明の実施の形態となる電気機器の構成について説明する。この電気機器は、着脱式のバッテリパックを電源とする送風機である。このバッテリパックは送風機において設けられたバッテリパック設置面に装着されるが、この送風機においては、粉塵や水滴がこのバッテリパック装着面に及ぼす悪影響が低減される。このため、劣悪な環境でこの送風機が使用される場合であっても、操作性と信頼性を両立することができる。ここで、操作性における操作とは、この送風機の制御のための操作と、バッテリパック脱着の操作を意味する。
【００１８】
図１は、この送風機１の斜視図であり、図１（ａ）は斜め前方から見た斜視図であり、図１（ｂ）は斜め後方から見た斜視図である。ここで、動作時には、送風は前方に向かってなされ、この送風機１は地面に置かれて使用されるものとする。また、図２は、この送風機１を四方向から見た図であり、図２（ａ）はその上面図、図２（ｂ）はその正面図、図２（ｃ）はその側面図、図２（ｄ）はその背面図となっている。図１、２は、この送風機１が使用される際の形態（折り畳まれていない状態）を示している。
【００１９】
この送風機１は、回転する羽根（ファン）１１が設けられた本体部１０を具備する。図１（ｂ）に示されるように、本体部１０の後方中央にはファン１１を回転させる直流モーターを内蔵するモーター収容部１２が設けられる。ファン１１は、前方、後方共に、ファン１１が生成した冷却風は透過させるが使用者がファン１１に接することを抑制するための籠状のガード部１３で覆われている。本体部１０の上側には、利用者がこの送風機１を持ち運ぶ際に把持するハンドル１４が設けられている。本体部１０の左右両側には、下方に延伸する支脚２１、２２がそれぞれ固定されている。
【００２０】
支脚２１、２２は、本体部１０の下側に離間して位置する基体部３０の左右端に、前後方向における取付角度が調整可能な状態で取り付けられる。この取付角度調整は、基体部３０における、左右方向（鉛直方向及びファン１１の回転軸方向と垂直な方向）と平行な回動軸Ｒを中心として行われる。また、図１（ｂ）、図２（ａ）（ｃ）に示されるように、基体部３０は、後方に向かって延伸し平面視においてＵ字形状の接地脚３１を具備する。この送風機１が地面に設置される際には、この接地脚３１の下面が設置することによって、送風機１全体が支持される。図１、２においては、図２（ｃ）に示されるように、本体部１０が地面に対して直立するように前記の取付角度が設定され、この場合にはこの取付角度は９０°となっている。この場合においては、この送風機１を地面に安定した状態で設置して、前方に送風をすることができる。この取付角度を調整することによって送風の角度を調整することができる。また、接地脚３１側を回動軸Ｒを軸として本体部１０の背面側に回動させこの取付角度を０°近くとする（最小とする）ことによって、この送風機１を折り畳んだコンパクトな形態とすることができる。利用者は、この状態でハンドル１４を把持してこの送風機１を持ち運ぶことができる。
【００２１】
図１（ａ）、図２（ｂ）に示されるように、基体部３０の前方には、この送風機１の動作を制御するためのスイッチ類や送風機１の動作状態等を表示する小型のディスプレイ等を備えた操作部３２が設けられている。ここで用いられるスイッチとしては、この送風機１の主電源のオン・オフを制御する電源スイッチや、ファン１１（モーター）の回転速度を制御するスイッチ等がある。利用者は、前方からこの操作部３２におけるディスプレイを目視し、スイッチを操作することによって、この送風機１を制御することができる。この送風機１全体の制御を行う制御回路が形成された基板は、操作部３２に隣接して基体部３０の内部に設けられている。
【００２２】
この送風機１の電源は、電動工具用のバッテリパック４０であり、例えば公称電圧１４．４Ｖ、公称電圧１８Ｖ等の高出力のものを用いることができる。このバッテリパック４０は、基体部３０に装着される。基体部３０には、バッテリパック４０が設置される略平面状のバッテリパック設置面が設けられ、このバッテリパック設置面は、基体部３０における回動軸Ｒよりも後方側の上部において後方に突出するように設けられたバッテリパック取付部３３の下面として形成される。このため、バッテリパック４０は、バッテリパック取付部３３の下側に装着される。また、図１（ｂ）、図２（ａ）に示されるように、上面から見ると、バッテリパック取付部３３、バッテリパック４０は、後方で接地脚３１に囲まれるように設けられる。
【００２３】
バッテリパック４０の上面とバッテリパック設置面には、バッテリパック４０とバッテリパック設置面とを固定するための凹部や凸部が設けられている。バッテリパック４０をバッテリパック設置面に沿って移動させ、これら凹部と凸部とを係合させて固定することによって、バッテリパック４０がバッテリパック設置面（バッテリパック取付部３３）に固定される。この際に、バッテリパック設置面に設けられた端子とバッテリパック４０側の端子とが接する設定とされる。これによって、この送風機１に対してバッテリパック４０側から直流電力が供給される。この構成は、バッテリパックが電動工具等に装着される際の構成と同様である。
【００２４】
図３は、図２（ｃ）に対応した形態において、バッテリパック４０をバッテリパック設置面３４に脱着する際の形態を示す透視図である。ここで、この送風機１が平坦な地面Ｇに設置される際には、基体部３０（接地脚３１）が地面Ｇと当接する。この際の安定性を高めるために、図２（ｂ）に示されるような基体部３０の前方の左右２箇所の前方接地領域３０１と、基体部３０（接地脚３１）の後方中央の後方接地領域３０２において、基体部３０が接地する形状とされる。バッテリパック設置面３４は、基体部３０における後方上部において上側後方に向かって突出したバッテリパック取付部３３の下面となっており、バッテリパック設置面３４は、後方斜め下側を向いて形成されている。バッテリパック４０の脱着は、バッテリパック５０におけるバッテリパック上面４１をバッテリパック設置面３４に沿って図３中の矢印方向に平行に移動させることで行われる。
【００２５】
バッテリパック４０の装着時には、バッテリパック４０におけるバッテリパックの上面（バッテリパック上面４１）と、基体部３０におけるバッテリパック設置面３４とが当接する。この際、バッテリパック４０は、バッテリパック取付部３３と地面Ｇとの間に位置し、図３におけるバッテリパック４０の下面（バッテリパック下面４２）は地面Ｇと当接しない。このため、この形態でこの送風機１を地面に置いた際においても、バッテリパック４０は、接地脚３１によって保護され、バッテリパック４０が損傷することはない。また、取付角度を変えた場合でも、バッテリパック４０と接地脚３１の位置関係は不変であるため、図３におけるバッテリパック下面４２は、取付角度によらず常に保護される。
【００２６】
この構成においては、図１、２に示されたように送風機１が設置された場合においては、バッテリパック設置面３４は斜め下側を向く。このため、例えば雨天時の屋外においても、バッテリパック４０が装着されない状態で、バッテリパック設置面３４に水滴が付着しにくくなる。粉塵に対しても同様である。また、バッテリパック４０が装着された場合においても、バッテリパック４０とバッテリパック設置面３４との間に水滴や粉塵が進入しにくくなる。このため、バッテリパック設置面３４やバッテリパック４０に設けられた端子が水滴や粉塵によって劣化することが抑制される。このため、この送風機１を屋外や劣悪な環境で使用した場合においても、高い信頼性を得ることができる。
【００２７】
また、バッテリパック取付部３３（バッテリパック設置面３４）を基体部３０の後方に設けたために、基体部３０の前方には大きな構造物は存在しない。この際、バッテリパック４０の装着は、前方からではなく、バッテリパック設置面３４に沿ってバッテリパック４０を後方の斜め上方から前方の斜め下方に移動させることによって行われる。このため、操作部３２を基体部３０の前方に設けることができ、これを目視、操作することが容易となる。
【００２８】
また、図３において、バッテリパック４０が装着された際には、バッテリパック４０は、水平方向において、前方接地領域（接地領域）３０１の前端と、後方接地領域（接地領域）３０２の後端の間に位置する。このため、バッテリパック４０は、基体部３０における接地領域の最外周部よりも外側に出ないように装着される。なお、接地領域としては、図２（ｂ）〜（ｄ）に示されるように、前方の２箇所の前方設置領域３０１、後方に１箇所の後方接地領域３０２があり、バッテリパック４０は、この３箇所の接地領域で囲まれる内部に位置する。このため、水平面内のどの方向から見ても、バッテリパック４０は、接地領域の最外周部よりも外側には出ないように設置される。
【００２９】
例えば、上記の構成とは逆に、バッテリパック設置面を基体部の前方に設け、バッテリパックが基体部の前方に装着される構成とすることも可能であり、この場合においてもバッテリパックの装着を容易に行うことができる。しかしながら、この場合には、操作部を基体部の前方に設けることが困難である。あるいは、仮に操作部を基体部の前方に設けたとしても、大きなバッテリパックが存在するために、ディスプレイを目視しにくい、スイッチの操作が容易ではない、等の問題が生ずる。
【００３０】
また、操作部を基体部に設けず、例えば支脚に操作部を設けることも可能である。しかしながら、前記の通り、操作部にはスイッチが設けられ、この送風機を使用するに際しては、利用者は、このスイッチを操作する（押下する）必要がある。この際に、基体部よりも高い位置にある支脚にこのスイッチがある場合には、スイッチを押下する際に、支脚からトルクが加わるために、本体部が動く、あるいは、取付角度が変動しやすくなる。
【００３１】
上記の送風機１においては、基体部３０に操作部３２を設けたことによって、こうした問題点が解消される。また、操作部３２を基体部３０における前方に設けたことによって、通常は送風がなされる側にいる利用者がディスプレイを目視しやすく、かつスイッチの操作が特に容易となることも明らかである。また、前記の通り、バッテリパック４０は電動工具用のバッテリパックであるため、バッテリパック４０は多数の電動工具で使い回されて使用される場合が多い。このため、バッテリパック４０が装着された場合において外側に露出するバッテリパック下面４２には、小さな傷が付きやすい、あるいは、この面は特に汚れやすい。こうした場合に、上記の送風機１においては、バッテリパック下面４２は下側を向き、この送風機１が設置された状態においては、利用者からはバッテリパック下面４２は見えない。このため、汚れたバッテリパック５０を用いた場合でも、美観を損なうことがない。
【００３２】
更に、操作部３２が設けられた基体部３０にバッテリパック４０を装着することによって、この送風機１内で使用される配線を単純化し、配線の信頼性を高めることができる。図４は、この送風機１における配線の構成を正面図において模式的に示す。ここで、この送風機１全体の制御に用いられる半導体素子等が搭載された基板５０が操作部３２の内側において操作部３２に隣接して設けられており、基板５０からモーター収容部１２（本体部１０）に至るモーター配線６０の経路が示されている。ここで示されたモーター配線６０は、実際には＋−に対応した２本の配線で構成される。モーター配線６０は、基板５０から基体部３０の中を通り、支脚２１の内部を経由し、本体部１０におけるモーター収容部１２中の直流モーターに接続される。この構成においては、モーター配線６０以外の全ての配線は、基体部３０の内部に収容されている。このため、モーター配線６０のみを支脚２１内に設けることにより、他の全ての配線を基体部３０の内部に収容することができる。
【００３３】
これに対して、操作部を支脚に設ける場合には、支脚は細いために、上記の操作部３２のようにディスプレイや全てのスイッチ類を１箇所に集中して設けることは困難である。このため、２本の支脚のそれぞれに操作部は分離されて設けることが必要となる。このために、モーター配線以外にも、少なくとも２つの操作部に関わる配線を、上記のモーター配線６０と同様に、支脚と基体部との間に設けることが必要となる。ここで、支脚は基体部に回動可能な状態で取り付けられるために、支脚と基体部の接続部分にこうした多数の配線を設けることは、配線の長期にわたる信頼性を確保する上では好ましくない。一方、操作部に隣接して基板を細い支脚の内部に設けることは困難であり、基板を基体部に設けた場合には、基板と操作部との間の配線も同様に支脚と基体部の接続部分を経由することになる。このため、操作部を支脚に設けた場合には、支脚と基体部の接続部分を経由する配線が多く、複雑となるため、信頼性を高くすることが困難となる。上記の送風機１においては、操作部３２又は基板５０を基体部３０に設けることにより、こうした問題も解消され、送風機１で使用される配線の信頼性も高めることができる。
【００３４】
また、上記の送風機１においては、大きなファン１１やモーターを具備する本体部１０が重く、基体部３０は、少なくともバッテリパック４０が装着されない状態ではこれよりも軽い。このため、軽く面積が小さな基体部３０側で重い本体部１０を支えるために、この送風機１の設置時の安定性を高めることが重要である。この点に対して、上記の送風機１においては、水平方向において、バッテリパック４０は、基体部３０における接地領域の最外周部よりも外側に出ないように装着されるため、安定性を高めることができる。
【００３５】
更に、上記の送風機１においては、バッテリパック４０が基体部３０の後方下側に装着されるため、装着時には、重いバッテリパック４０は基体部３０の下側に位置する。このため、全体の重心の位置を下げる（地面に近い側とする）ことができる。一方、バッテリパックを基体部の上側に装着した場合には、全体の重心の位置は高くなる。このため、送風機が設置された際の重量バランスが悪くなる。
【００３６】
また、図２（ｃ）の状態において、動作時には、送風は前方（図２（ｃ）における左方）に向かって行われる。このため、送風の反作用によって、この送風機１全体には、図２（ｃ）における基体部３０を軸として時計回りのトルクが働く。このトルクに対しては、基体部３０の後方に形成された接地脚３１が後方接地領域３０２において送風機１全体を支える。送風時の反作用以外にも、図２（ｃ）の状態で本体部１０に前方（図中左側）から外力が加わった場合においても同様である。しかしながら、図２（ｃ）の状態で、例えば本体部１０に後方（図中右側）から力が加わった場合には、基体部３０を軸として反時計回りのトルクがこの送風機１全体に働く。この場合、前方接地領域３０１は前方には突出していないために、この送風機１は前方（図中左側）に転倒しやすい。すなわち、基体部の後方側にのみ接地脚が形成された構造においては、送風機が後方に転倒することは抑制されるものの、前方には転倒しやすくなる。接地脚と同様の構造を基体部の前方側にも形成すれば、前方への転倒も抑制されることは明らかであるが、この場合には、この送風機を折り畳み可能な形態とするためには、全体をより複雑な構造とする必要がある。あるいは、この送風機を折り畳んでコンパクトな形態とすることが困難となる。
【００３７】
この場合において、上記の送風機１においては、重いバッテリパック４０を基体部３０の後方側に設置することによって、前方への転倒が抑制される。これに対して、基体部の前方側にバッテリパックを装着した場合には、前方に転倒しやすくなることは明らかである。すなわち、上記の送風機１においては、接地脚３１を後方側においてのみ形成した状態において、接地脚３１が形成されない前方側への転倒が抑制される。
【００３８】
また、図５は、回動軸Ｒを中心として接地脚３１側を本体部１０の背面側に回動させ、これらの間のなす角度を０°近く（最小）として、この送風機１を折り畳んだ状態とした際の形態を斜め後方から見た斜視図である。ここで、図５（ａ）は、この状態において、バッテリパック４０が装着された状態、図５（ｂ）は、バッテリパック４０が装着されない状態をそれぞれ示す。図５（ａ）の状態においては、Ｕ字形状の接地脚３１内にバッテリパック下面４２が見えているが、前記の通り、バッテリパック下面４２は接地脚３１よりも上側に突出することはないため、バッテリパック下面４２は接地脚３１によって保護される。
【００３９】
一方、バッテリパック４０を装着しない状態（図５（ｂ））においては、バッテリパック下面４２の代わりにバッテリパック設置面３４が露出する。バッテリパック設置面３４には電極等が設けられているために、バッテリパック下面４２よりも、バッテリパック４０が装着されない状態でのバッテリパック設置面３４を更に強く保護する必要がある。これに対して、この場合には、バッテリパック設置面３４はバッテリパック４０が装着された場合のバッテリパック下面４２よりも接地脚３１に対して図５（ｂ）中の更に下側に位置する。このため、バッテリパック設置面３４に傷等が付くことが抑制される。
【００４０】
これに対して、送風機の設置時においてバッテリパック設置面が上側を向く構成とした場合には、基体部においてバッテリパック設置面は接地脚と反対側を向いて設置される。この場合のバッテリパック設置面は、図５（ｂ）と同様の状態においては、図中の下側において露出する。このため、バッテリパック設置面にカバーを設ける等の施策を施さない限り、バッテリパック設置面に傷が付きやすい、あるいはバッテリパック設置面が汚染されやすい。この点においても、この送風機の信頼性が損なわれる。
【００４１】
このように、上記の送風機１においては、バッテリパック設置面３４（基体部３０）を上記の構成とすることにより、この送風機１が折り畳まれてバッテリパック４０が取り外された状態であっても、バッテリパック設置面３４が接地脚３１によって保護される。この点においても、この送風機１においては、高い信頼性が得られる。
【００４２】
ここで、図３におけるバッテリパック設置面３４の設定角度（図３における地面Ｇの後方側とバッテリパック設置面３４とのなす角度）は、バッテリパック設置面３４の法線の向きが、鉛直方向下側、斜め後方下側となるように設定されることが好ましい。この設定角度の下限は、バッテリパック４０を装着する際に、バッテリパック４０が接地脚３１と干渉しないように設定される。その上限は、バッテリパック取付部３３（基体部３０）及びバッテリパック４０が、支脚２１、２２、本体部１０のいずれとも干渉しないように設定される。ただし、この設定角度が０°未満である場合には、バッテリパック設置面３４は下側から前方側を向くため、バッテリパック４０をバッテリパック設置面３４に装着する作業が困難となる。この設定角度が垂直に近くなる場合には、バッテリパックが装着された状態で送風機１が地面Ｇの上に設置された際の全体の重心が高くなるため、設置の際の安定性が損なわれる。
【００４３】
なお、上記の構成においては、基体部３０は接地脚３１を具備するものとしたが、基体部３０の底面が送風機１を充分支持できる形状である。あるいは充分な面積をもつ場合には、接地脚３１は不要である。
【００４４】
また、上記の構成においては、支脚２１、２２を設けることによって、本体部１０と基体部３０を離間させた構成とした。こうした構成は、送風機１によって発生した冷却風を地面から離し遠方まで送ることができるために有効である。しかしながら、その反面、この場合には、前記の通り、設置の際の安定性が悪くなり、送風機が転倒しやすいという問題が顕著となる。この場合において、接地脚が設けられた基体部の後方側（接地脚側）にバッテリパックを装着する構成は、特に有効である。この場合、基体部の前方側に操作部を設けることができ、利用者が操作部を操作する際における安定性も確保されることも、前記の通りである。すなわち、支脚、接地脚を設けた場合において、上記の構成で基体部にバッテリパックを装着させ、操作部を設けた構成は特に有効である。
【００４５】
一方、上記の送風機において、バッテリパック設置面等を保護する観点から高い信頼性を得るためには、上記の構成において、例えば、基体部においてバッテリパック設置面が下側を向き、かつ装着されたバッテリパックが接地しないように構成されれば、例えば操作部が設置された箇所に関わらず、効果を奏することも明らかである。
【００４６】
一方、折り畳み式の送風機において使用される配線の信頼性を高める観点からは、バッテリパック設置面等の構成に関わらず、操作部や回路基板を基体部に設ける構成が有効である。また、バッテリパックの装着を容易とする観点からは、操作部等の設置箇所に関わらず、図３に示されるように、バッテリパックを後方の斜め上方から前方の斜め下方に移動させることによって、バッテリパック設置面に装着させる構成が有効である。ただし、上記の通り、バッテリパック設置面の構成を上記の通りとすることによって、バッテリパックの装着方向も上記の通りとすることが容易であり、かつ操作部等を上記のように設置することも容易となる。すなわち、上記の構成を組み合わせることによって、特に信頼性が高く、かつ使いやすい送風機となる。
【００４７】
上記の例では、電気機器が送風機であるとしたが、同様の構成が、バッテリパックを電源として動作する他の電気機器に対しても有効であることは明らかである。この場合、上記の本体部を、送風ではない他の機能をもつ構成要素とすればよい。この際、本体部が大きく重くなる場合に、特に上記の効果が顕著となる。こうした本体部としては、バッテリパックによって供給された電力を風、光、熱又は音のいずれかに変換して出力する動作を行うものが考えられる。具体的には、本体部をディスプレイとした表示装置、本体部をスピーカとした音響装置を同様の構成とすることができる。また、本体部を発光部とした照明機器、本体部を発熱部としたヒーター等においても、同様である。
【００４８】
この際、上記の送風機における本体部が前方に向かって送風をするのと同様に、表示装置においては表示が前方に向かってなされ、音響装置においてはスピーカが前方に向かって音声を発し、照明機器やヒーターにおいては、光や熱放射が前方に向かってなされる場合においては、利用者が電気機器（本体部）の前方にいる場合が一般的である。こうした場合において、操作部が基体部の前方に設けられた上記の構成は同様に有効である。
【００４９】
一方で、こうした電気機器においても、バッテリパックの脱着時以外には利用者が通常触れる必要のないバッテリパックやバッテリパック設置面を、通常使用時に利用者が接することがない後方の下側に設けることによって、通常使用時におけるバッテリパックやバッテリパック設置面に対する悪影響を低減することができる。例えば、表示装置、照明機器、ヒーターにおいては、発光する本体部の下側に蛾等の昆虫が集まる場合があるが、こうした昆虫がバッテリパックやバッテリパック設置面に対して与える悪影響が上記の構成によって同様に低減されることは明らかである。すなわち、本体部が前方に対して動作を行う電気機器であれば、送風機に限らず、上記の構成は有効である。特に、電動工具用のバッテリパックが電動工具と同様に使用されるため、こうした電気機器は、電動工具等が使用される屋外等の作業環境において特に好ましく使用することができる。
【符号の説明】
【００５０】
１  送風機（電気機器）
１０  本体部
１１  羽根（ファン）
１２  モーター収容部  
１３  ガード部
１４  ハンドル
２１、２２  支脚
３０  基体部
３１  接地脚
３２  操作部
３３  バッテリパック取付部
３４  バッテリパック設置面
４０  バッテリパック
４１  バッテリパック上面
４２  バッテリパック下面
５０  基板
６０  モーター配線
３０１  前方接地領域（接地領域）
３０２  後方接地領域（接地領域）
Ｒ  回動軸
Ｇ  地面
【図１】
2014212062.tif 000003
【図２】
2014212062.tif 000004
【図３】
2014212062.tif 000005
【図４】
2014212062.tif 000006
【図５】
2014212062.tif 000007